(57)【要約】  使い勝手の良いツインタイプの再生装置等を提供することを課題とする。本発明の再生装置１は、２つのコンテンツを同時に再生可能な再生手段と、再生される２つのコンテンツをそれぞれ再生制御可能な２つのジョグダイヤル２１Ａ，２１Ｂと、挿入されたデバイスに格納されている複数のコンテンツのコンテンツリストを表示する液晶ディスプレイＤと、表示されたコンテンツリストの中から再生対象および操作対象となるコンテンツをそれぞれ選択するための操作子４１〜４４と、選択したコンテンツを２つの操作機構に振り分けるための操作子４５，４６と、を備え、コンテンツの振り分け結果を、液晶ディスプレイＤ上に表示する。
2008126142.tif 000002
【特許請求の範囲】
【請求項１】
複数のコンテンツが記録された情報記録媒体を読み取る読み取り手段と、
２つの前記コンテンツを同時に再生可能な再生手段と、
前記再生手段で再生される２つのコンテンツをそれぞれ再生制御可能な操作手段と、
前記複数のコンテンツのコンテンツリストを生成するコンテンツリスト生成手段と、
生成した前記コンテンツリストを、１の表示画面に表示するコンテンツリスト表示手段と、
表示された前記コンテンツリストの中から、前記２つの操作機構の操作対象となるコンテンツをそれぞれ選択するコンテンツ選択手段と、
前記コンテンツ選択手段の選択結果に応じて、前記読み取り手段により読み取ったコンテンツを、前記２つの操作機構に振り分けるコンテンツ振り分け手段と、
前記コンテンツ振り分け手段による振り分け結果を、前記１の表示画面に表示する振り分け結果表示手段と、を備えたことを特徴とする再生装置。
【請求項２】
前記読み取り手段は、複数の読み取り機構から成り、
前記コンテンツリスト生成手段は、前記複数の読み取り機構で読み取った複数の前記情報記録媒体毎に前記コンテンツリストを生成し、
前記コンテンツ選択手段は、前記情報記録媒体を指定して当該情報記録媒体用のコンテンツリストを前記コンテンツリスト表示手段に表示させ、表示された当該コンテンツリストの中から、前記再生手段で再生されるコンテンツを選択することを特徴とする請求項１に記載の再生装置。
【請求項３】
各読み取り機構により読み取った前記コンテンツのデータ形式に基づいて、前記コンテンツ振り分け手段により振り分け可能な前記操作機構を指標する操作機構指標手段をさらに備えたことを特徴とする請求項２に記載の再生装置。
【請求項４】
前記複数の読み取り機構は、前記２つの操作機構のいずれでも再生制御可能な前記コンテンツを記録した前記情報記録媒体を読み取る１以上の読み取り機構を含むことを特徴とする請求項２に記載の再生装置。
【請求項５】
前記振り分け結果表示手段は、前記コンテンツリスト表示手段により表示される前記コンテンツリスト中に、振り分けられた前記操作機構を示すことを特徴とする請求項１に記載の再生装置。
【請求項６】
前記振り分け結果表示手段は、各コンテンツタイトルに対する付加情報または各コンテンツタイトルの表示態様によって、振り分けられた前記操作機構を示すことを特徴とする請求項５に記載の再生装置。
【請求項７】
前記コンテンツが前記情報記録媒体に格納されている階層構造にしたがって前記コンテンツリストを表示するフォルダ表示方式と、各コンテンツに付帯された付帯情報に基づいてカテゴリ別に前記コンテンツリストを表示するカテゴリ表示方式とのいずれかを選択する表示方式選択手段をさらに備え、
前記コンテンツリスト表示手段は、前記表示方式選択手段による選択結果に応じて、前記コンテンツリスト生成手段により生成された前記コンテンツリストを選択的に表示することを特徴とする請求項１に記載の再生装置。
【請求項８】
前記操作手段は、前記操作機構として、回転体の回動量に応じて再生状態を調節するジョグダイヤルを含むことを特徴とする請求項１に記載の再生装置。
【請求項９】
前記コンテンツリスト表示手段は、前記２つの操作機構の間に配置されることを特徴とする請求項１に記載の再生装置。
【請求項１０】
コンピュータを、請求項１に記載の再生装置における各手段として機能させるためのプログラム。
【発明の詳細な説明】
【技術分野】
【０００１】
本発明は、２つのコンテンツの再生制御を行うための２つの操作機構を備えた再生装置およびプログラムに関するものである。
【背景技術】
【０００２】
従来、クラブ等において音楽パフォーマンスを行うＤＪが扱う機器であって、２つの操作機構を備えた再生装置が知られている（例えば、非特許文献１）。【０００３】
また、携帯型の音楽プレーヤー２台と接続され、各音楽プレーヤーから読み取ったコンテンツを２つの操作機構で再生制御可能な再生装置も知られている（例えば、非特許文献２）。この再生装置は、コンテンツ名を表示する表示部として、音楽プレーヤーに搭載されたディスプレイを用いることで、装置の小型化を図っている。
【非特許文献１】Numark，DVD01，http://www.numark.com/index.html?http://www.numark.com/products/product_view.php?v=overview&n=154
【非特許文献２】Numark，iDJ，http://www.numark.jp/index.html?http://www.numark.jp/products/product_view_overview_132.html
【発明の開示】
【発明が解決しようとする課題】
【０００４】
しかしながら、この種のツインタイプの再生装置は、再生対象（再生制御のための操作対象）となるコンテンツを選択するための表示部が独立して設けられるなど、単に２つの再生装置を組み合わせた仕様のものが多く、あまり使い勝手が良いと言えるものではなかった。【０００５】
本発明は、上記の問題点に鑑み、使い勝手の良いツインタイプの再生装置およびプログラムを提供することを目的とする。
【課題を解決するための手段】
【０００６】
本発明の再生装置は、複数のコンテンツが記録された情報記録媒体を読み取る読み取り手段と、２つのコンテンツを同時に再生可能な再生手段と、再生手段で再生される２つのコンテンツをそれぞれ再生制御可能な操作手段と、複数のコンテンツのコンテンツリストを生成するコンテンツリスト生成手段と、生成したコンテンツリストを、１の表示画面に表示するコンテンツリスト表示手段と、表示されたコンテンツリストの中から、２つの操作機構の操作対象となるコンテンツをそれぞれ選択するコンテンツ選択手段と、コンテンツ選択手段の選択結果に応じて、読み取り手段により読み取ったコンテンツを、２つの操作機構に振り分けるコンテンツ振り分け手段と、コンテンツ振り分け手段による振り分け結果を、１の表示画面に表示する振り分け結果表示手段と、を備えたことを特徴とする。【０００７】
この構成によれば、再生手段で再生される２つのコンテンツを選択するためのコンテンツリストを１の表示画面に表示するため、操作者は当該表示画面だけを視認してコンテンツの選択操作や振り分け操作を行うことができ、誤操作の防止や操作性の向上が期待できる。また、２つの操作機構へのコンテンツの振り分け結果を同じ表示画面上に表示するため、操作者はどちらの操作機構によって操作できるのかを確認することができ、利便性が良い。さらに、再生されるコンテンツの再生制御を行うための操作機構は、コンテンツ毎に２つ備えられているため、独立した再生制御を行うことができ、多彩な音楽表現や映像表現を実現できる。【０００８】
上記に記載の再生装置において、読み取り手段は、複数の読み取り機構から成り、コンテンツリスト生成手段は、複数の読み取り機構で読み取った複数の情報記録媒体毎にコンテンツリストを生成し、コンテンツ選択手段は、情報記録媒体を指定して当該情報記録媒体用のコンテンツリストをコンテンツリスト表示手段に表示させ、表示された当該コンテンツリストの中から、２つの操作機構の操作対象となるコンテンツを選択することが好ましい。【０００９】
この構成によれば、複数の読み取り機構を備えているため、多数のコンテンツの中から操作対象となるコンテンツを選択することができる。また、情報記録媒体毎にコンテンツリストが生成されるため、情報記録媒体毎が、カテゴリや用途別に分けられている場合に、コンテンツの検索が容易である。【００１０】
上記に記載の再生装置において、各読み取り機構により読み取ったコンテンツのデータ形式に基づいて、コンテンツ振り分け手段により振り分け可能な操作機構を指標する操作機構指標手段をさらに備えたことが好ましい。【００１１】
この構成によれば、コンテンツのデータ形式によっては、同一の情報記録媒体から同時に２つのコンテンツを再生できない場合があるが、そのような場合であっても、振り分け可能な操作機構が指標されるため、その指標にしたがって振り分けを行えば良く、操作者がコンテンツのデータ形式を意識する必要がない。【００１２】
上記に記載の再生装置において、複数の読み取り機構は、２つの操作機構のいずれでも再生制御可能なコンテンツを記録した情報記録媒体を読み取る１以上の読み取り機構を含むことが好ましい。【００１３】
この構成によれば、１以上の読み取り機構で読み取ったコンテンツは、両操作機構で再生制御可能であるため、振り分けが可能であるか否かを意識することなく使用することができる。【００１４】
上記に記載の再生装置において、振り分け結果表示手段は、コンテンツリスト表示手段により表示されるコンテンツリスト中に、振り分けられた操作機構を示すことが好ましい。【００１５】
この構成によれば、コンテンツリスト中に、振り分けられた操作機構を示すため、振り分け先と振り分けられたコンテンツとを同時に確認することができる。また、振り分け結果を表示するための表示領域を必要としないため、表示画面をコンテンツリストの表示のために有効利用することができる。【００１６】
上記に記載の再生装置において、振り分け結果表示手段は、各コンテンツタイトルに対する付加情報または各コンテンツタイトルの表示態様によって、振り分けられた操作機構を示すことが好ましい。【００１７】
この構成によれば、各コンテンツの振り分け先をより分かり易く示すことができる。【００１８】
上記に記載の再生装置において、コンテンツが情報記録媒体に格納されている階層構造にしたがってコンテンツリストを表示するフォルダ表示方式と、各コンテンツに付帯された付帯情報に基づいてカテゴリ別にコンテンツリストを表示するカテゴリ表示方式とのいずれかを選択する表示方式選択手段をさらに備え、コンテンツリスト表示手段は、表示方式選択手段による選択結果に応じて、コンテンツリスト生成手段により生成されたコンテンツリストを選択的に表示することが好ましい。【００１９】
この構成によれば、操作者の好みに応じて、フォルダ表示方式とカテゴリ表示方式とのいずれかの表示方式を選択することができる。なお、フォルダ表示方式を選択すると、予め使用用途を考慮して情報記録媒体にコンテンツを格納している場合に便利であり、カテゴリ表示方式を選択すると、カテゴリ分類されるため、無差別に情報記録媒体にコンテンツを格納している場合に便利である。
なお、コンテンツリストの生成は、両表示方式のコンテンツリストを、表示方式選択手段による選択前に予め生成しておいても良いし、表示方式の選択後にその選択結果に応じていずれかのコンテンツリストを生成するようにしても良い。【００２０】
上記に記載の再生装置において、操作手段は、操作機構として、回転体の回動量に応じて再生状態を調節するジョグダイヤルを含むことが好ましい。【００２１】
この構成によれば、ジョグダイヤルを備えているため、種々のエフェクト効果を実現できる。【００２２】
上記に記載の再生装置において、コンテンツリスト表示手段は、２つの操作機構の間に配置されることが好ましい。【００２３】
この構成によれば、コンテンツリストが中央に表示されるため、視認し易く、しかも２つの操作機構の操作性も良い。【００２４】
本発明のプログラムは、コンピュータを、上記に記載の再生装置における各手段として機能させるためのものであることを特徴とする。【００２５】
このプログラムを実行することにより、使い勝手の良いツインタイプの再生装置を実現することができる。
【図面の簡単な説明】
【００２６】
【図１】本発明の一実施形態に係る再生装置の上側から見た平面図、および手前側から見た平面図である。
【図２】再生装置のブロック図である。
【図３】ファイルブラウズ時におけるディスプレイ表示の一例を示す図である。
【図４】ＩＤ３ブラウズ時におけるディスプレイ表示の一例を示す図である。
【図５】図４からの画面遷移図である。
【図６】図５からの画面遷移図である。
【図７】図６からの画面遷移図である。
【図８】図７からの画面遷移図である。
【図９】図８からの画面遷移図である。
【図１０】図９からの画面遷移図である。
【符号の説明】
【００２７】
１…再生装置，１０…中央操作領域，２０Ａ…Ａ側操作領域，２０Ｂ…Ｂ側操作領域，２１…ジョグダイヤル，２２…フェーダー，３１…ブラウズ切替ボタン，４１…デバイス選択ボタン，４２…エンコーダー，４３…左ボタン，４４…右ボタン，４５…Ａ側ロードボタン，４６…Ｂ側ロードボタン，５１…Ａ側ディスク挿入部，５２…Ｂ側ディスク挿入部，５５…ＵＳＢスロット，Ｄ…液晶ディスプレイ
【発明を実施するための最良の形態】
【００２８】
以下、本発明の一実施形態に係る再生装置およびプログラムについて、添付図面を参照しながら詳細に説明する。本実施形態では、本発明の再生装置を、ＤＪが音楽パフォーマンスを行うためのＤＪ機器に適用した場合を例示する。【００２９】
図１（ａ）は、本発明の再生装置１を上側から見た平面図、同図（ｂ）は、再生装置１を手前側から見た平面図である。同図（ａ）に示すように、再生装置１の上面は、中央操作領域１０と、サイド操作領域２０とに大別される。中央操作領域１０は、液晶表示部１１、デバイス選択部１２および選択・振り分け操作部１３を有しており、これら各部の操作によって、両サイド操作領域２０Ａ，２０Ｂで再生制御を行うための曲（コンテンツ）の選択や振り分けを行う。【００３０】
液晶表示部１１は、液晶ディスプレイＤにより構成される。また、デバイス選択部１２は、液晶ディスプレイＤに表示させるコンテンツリスト（図３の第２エリアＥ２参照）の生成対象となるデバイス（情報記録媒体６０，図２参照）を選択するための複数のデバイス選択ボタン４１を有する。また、選択・振り分け操作部１３は、エンコーダー４２、左ボタン４３、右ボタン４４、Ａ側ロードボタン４５およびＢ側ロードボタン４６を有する。【００３１】
エンコーダー４２は、コンテンツリストのカーソル移動や下位階層への移動を指示するためのものである。また、左ボタン４３は、コンテンツリストの上位階層への移動を指示するためのものであり、右ボタン４４は、コンテンツリストの下位階層への移動を指示するためのものである。また、Ａ側ロードボタン４５は、コンテンツリストから選択した曲をＡ側再生機構１９１およびＡ側操作機構２０１に振り分けるためのものであり、Ｂ側ロードボタン４６は、コンテンツリストから選択した曲をＢ側再生機構１９２およびＢ側操作機構２０２に振り分けるためのものである（いずれも図２参照）。【００３２】
サイド操作領域２０は、図示左側の領域であるＡ側操作領域２０Ａと、図示右側の領域であるＢ側操作領域２０Ｂと、から成る。Ａ側操作領域２０Ａは、ジョグダイヤル２１Ａ、フェーダー２２Ａ、補助ディスプレイ２３Ａ、ＣＵＥボタン２４Ａおよびプレイ／ポーズボタン２５Ａを有する。ジョグダイヤル２１Ａは、操作者による操作（押圧および回転）を検知し、その操作に応じて再生状態（再生量など）を調節したり、エフェクト効果（スクラッチ音の発生等）を付加したりなどすることができるようになっている。また、フェーダー２２Ａは、音量調節（パワーアンプのゲイン調節）を行うためのものである。また、補助ディスプレイ２３Ａは、再生中の曲の曲目、再生時間およびＢＰＭ等を表示する。【００３３】
なお、Ｂ側操作領域２０Ｂは、Ａ側操作領域２０Ａと同一の構成であるため説明を省略するが、Ｂ側操作領域２０Ｂの一部（中央操作領域１０に近接した位置）に、ブラウズ切替ボタン３１が設けられている。このブラウズ切替ボタン３１は、コンテンツリストの表示方式を「ファイルブラウズ（フォルダ表示方式）」と「ＩＤ３ブラウズ（カテゴリ表示方式）」のいずれかに切替えるためのものである（図３および図４参照）。詳細については、後述する。【００３４】
一方、図１（ｂ）に示すように、再生装置１は、その手前側側面に、電源のＯＮ／ＯＦＦを切り替えるための電源ボタン３２の他、Ａ側ディスク挿入部５１、Ｂ側ディスク挿入部５２、Ａ側イジェクトボタン５３、Ｂ側イジェクトボタン５４およびＵＳＢスロット５５（第１ＵＳＢスロット）を有している。【００３５】
Ａ側ディスク挿入部５１およびＢ側ディスク挿入部５２は、Ａ側操作領域２０ＡおよびＢ側操作領域２０Ｂの位置に対応して、装置の左側および右側に設けられ、ＤＶＤやＣＤ等の光ディスク６１（図２参照）が挿入される。また、Ａ側イジェクトボタン５３およびＢ側イジェクトボタン５４は、それぞれＡ側ディスク挿入部５１およびＢ側ディスク挿入部５２から光ディスクを取り出すためのものである。また、ＵＳＢスロット５５は、ＵＳＢフラッシュメモリやＵＳＢハードディスク等のＵＳＢメモリ６２（図２参照）が挿入される。【００３６】
なお、特に図示しないが、再生装置１の奥側側面には、ＵＳＢスロット５５と同仕様のＵＳＢスロット（第２ＵＳＢスロット）と、パーソナルコンピュータ６３（以下、「ＰＣ６３」と称する）接続専用のＵＳＢスロット（ＰＣスロット）と、が設けられている。また、上述のＡ側ディスク挿入部５１、Ｂ側ディスク挿入部５２およびＵＳＢスロット５５、並びにこれら奥側側面に設けられた２つのＵＳＢスロットは、６つのデバイス選択ボタン４１のうちの５つに対応しており、これらに挿入されたデバイスの中からコンテンツリストの生成対象となるデバイスが選択される。なお、残りの１つのバイス選択ボタン４１は、ユーザが予め作成したプレイリストに対応している（詳細は後述する）。【００３７】
次に、図２を参照し、再生装置１の制御構成について説明する。同図に示すように、再生装置１は、読み取り手段１１０、コンテンツリスト生成手段１２０、コンテンツリスト表示手段１３０、再生・操作機構指標手段１４０、表示方式選択手段１５０、コンテンツ選択手段１６０、コンテンツ振り分け手段１７０、振り分け結果表示手段１８０、再生手段１９０、操作手段２００および出力手段２１０を備えている。【００３８】
読み取り手段１１０は、情報記録媒体６０を読み取るものであり、Ａ側ディスクドライブ１１１、Ｂ側ディスクドライブ１１２およびＵＳＢドライブ１１３の読み取り機構を有している。情報記録媒体６０としては、上述のとおり、光ディスク６１やＵＳＢメモリ６２が挙げられる。また、ＵＳＢ端子を有するケーブルを介してＰＣ６３とも接続され、ＰＣ６３内のハードディスク等に記憶されているコンテンツを読み取ることも可能である。なお、Ａ側ディスクドライブ１１１およびＢ側ディスクドライブ１１２は、Ａ側ディスク挿入部５１およびＢ側ディスク挿入部５２に挿入された光ディスク６１を読み取る。また、ＵＳＢドライブ１１３は、物理的に３つ搭載され、上述の各ＵＳＢスロットに挿入されたＵＳＢメモリ６２やＰＣ６３からの入力データを読み取る。【００３９】
コンテンツリスト生成手段１２０は、情報記録媒体６０から読み取った曲のコンテンツリストを生成するものであり、再生装置１の統括制御を司るＣＰＵ１２１や液晶ディスプレイＤの表示制御を行うための表示制御デバイス１２２により、その主要部が構成される。コンテンツリスト生成手段１２０では、複数の読み取り機構で読み取った情報記録媒体６０毎にコンテンツリストを生成する。【００４０】
コンテンツリスト表示手段１３０は、コンテンツリスト生成手段１２０により生成されたコンテンツリストのうち、コンテンツ選択手段１６０により選択された情報記録媒体６０のコンテンツリストを、液晶ディスプレイＤ（１の表示画面）に表示するものである。すなわち、どの読み取り機構から読み取った情報記録媒体６０であっても、コンテンツリストは全て液晶ディスプレイＤ上に表示する。【００４１】
再生・操作機構指標手段１４０は、各読み取り機構により読み取ったコンテンツのデータ形式に基づいて、コンテンツ振り分け手段１７０により振り分け可能な再生機構１９１，１９２および操作機構２０１，２０２を指標するものである。本実施形態の再生装置１では、情報記録媒体６０に格納されたコンテンツのデータ形式がＭＰ３以外の場合は、対応する再生機構１９１，１９２でしか再生ができないようになっている。したがって、Ａ側ディスクドライブ１１１およびＢ側ディスクドライブ１１２で読み取られる光ディスク６１について、データ形式がＭＰ３であるか否かを判別し、ＭＰ３である場合は、振り分け可能な再生機構１９１，１９２および操作機構２０１，２０２として両方の再生機構および操作機構を指標する。つまり、データ形式がＭＰ３の場合は、Ａ側ディスクドライブ１１１で読み取ったコンテンツをＢ側再生機構１９２およびＢ側操作機構２０２で再生・操作することも可能である。また、ＭＰ３でない場合は、読み取られたドライブに対応する再生・操作機構のみを、振り分け可能な再生・操作機構として指標する。なお、指標は、Ａ側ロードボタン４５および／またはＢ側ロードボタン４６（図１参照）を点灯させることにより行う。すなわち、コンテンツ選択操作時において非点灯のロードボタン４５，４６は、振り分け先として指定できないことを意味する。また、Ａ側ディスクドライブ１１１およびＢ側ディスクドライブ１１２以外の読み取り機構で読み取られる情報記録媒体６０は、ＭＰ３であることが前提となっているため、データ形式の判別を行わず、当該情報記録媒体６０から読み取られたコンテンツは、両方の再生・操作機構を振り分け可能な再生・操作機構として指標する。【００４２】
表示方式選択手段１５０は、コンテンツリストの表示方式として、「ファイルブラウズ（フォルダ表示方式）」と「ＩＤ３ブラウズ（カテゴリ表示方式）」のいずれかを選択するためのものであり、ブラウズ切替ボタン３１によりその主要部が構成される。「ファイルブラウズ」選択時は、コンテンツが情報記録媒体６０に格納されている階層構造にしたがってコンテンツリストを表示し、「ＩＤ３ブラウズ」選択時は、各コンテンツに付帯された付帯情報（ＩＤ３タグ）に基づいてカテゴリ別にコンテンツリストを表示する。【００４３】
コンテンツ選択手段１６０は、コンテンツリスト表示手段１３０に表示されたコンテンツリストの中から、２つの再生機構１９１，１９２の再生対象および２つの操作機構２０１，２０２の操作対象となるコンテンツをそれぞれ選択するものである。具体的には、情報記録媒体６０を指定して当該情報記録媒体６０用のコンテンツリストをコンテンツリスト表示手段１３０に表示させ、表示された当該コンテンツリストの中から、２つの再生機構１９１，１９２の再生対象および２つの操作機構２０１，２０２の操作対象となるコンテンツを選択する。選択操作は、デバイス選択ボタン４１、エンコーダ４２、左ボタン４３および右ボタン４４を用いて行うが、詳細については液晶ディスプレイＤの表示例（図３ないし図１０）を参照して後述する。【００４４】
コンテンツ振り分け手段１７０は、コンテンツ選択手段１６０の選択結果に応じて、読み取り手段１１０により読み取ったコンテンツを、２つの再生機構１９１，１９２および２つの操作機構２０１，２０２に振り分けるものであり、Ａ側ロードボタン４５およびＢ側ロードボタン４６により、その主要部が構成される。上述のとおり、ここでは再生・操作機構指標手段１４０により振り分け先として指標されている再生機構１９１，１９２および２つの操作機構２０１，２０２（点灯しているロードボタン４５，４６に対応する再生・操作機構）に対して振り分けが可能である。【００４５】
振り分け結果表示手段１８０は、コンテンツ振り分け手段１７０による振り分け結果を、液晶ディスプレイＤ（１の表示画面）に表示するものである。具体的には、コンテンツリスト表示手段１３０により表示されるコンテンツリスト中に、振り分けられた再生・操作機構を示す記号（「（Ａ）」または「（Ｂ）」）を付加することで振り分け結果を表示する（図１０の参照番号８１参照）。【００４６】
再生手段１９０は、コンテンツを再生するものであり、同時に再生可能な２つの再生機構（Ａ側再生機構１９１およびＢ側再生機構１９２）から成る。具体的には、デコーダー、コンバータ等を含むオーディオ信号再生処理部（図示省略）を指す。【００４７】
操作手段２００は、各再生機構１９１，１９２で再生される各コンテンツの再生制御を行うものであり、２つの再生機構１９１，１９２にそれぞれ対応した２つの操作機構２０１，２０２から成る。本実施形態では、Ａ側操作機構２０１として、Ａ側ジョグダイヤル２１Ａ、Ａ側フェーダー２２Ａ、Ａ側ＣＵＥボタン２４ＡおよびＡ側プレイ／ポーズボタン２５Ａを有している。また、Ｂ側操作機構２０２として、Ｂ側ジョグダイヤル２１Ｂ、Ｂ側フェーダー２２Ｂ、Ｂ側ＣＵＥボタン２４ＢおよびＢ側プレイ／ポーズボタン２５Ｂを有している。【００４８】
出力手段２１０は、再生手段１９０により再生された曲に対する操作手段２００の再生制御結果を反映させた出力オーディオ信号を外部スピーカ９０等に出力するものであり、オーディオ出力インターフェース２１１（アナログ出力端子またはデジタル出力端子）により、その主要部が構成される。【００４９】
次に、図３ないし図１０を参照し、液晶ディスプレイＤの表示例および中央操作領域１０の操作方法について説明する。図３は、「ファイルブラウズ」の表示例を示したものである。まず、両ブラウズに共通する、液晶ディスプレイＤのＧＵＩと物理インターフェースの大まかな構成から説明する。最初に、中央操作領域１０の上側領域に設けられている液晶ディスプレイＤのＧＵＩについて説明する。液晶ディスプレイＤは、行方向に第１エリアＥ１〜第３エリアＥ３に分割されている。【００５０】
第１エリアＥ１は、再生機構表示領域であり、Ａ側再生機構１９１およびＢ側再生機構１９２にロードされている曲の曲名とアーティスト名を、それぞれＡ側表示部Ｅ１１およびＢ側表示部Ｅ１２に表示する。【００５１】
第２エリアＥ２は、コンテンツリスト表示領域であり、階層名表示部Ｅ２１、左ウィンドウ部（メイン表示部）Ｅ２２および右ウィンドウ部（サブ表示部）Ｅ２３から成る。階層名表示部Ｅ２１は、現在左ウィンドウ部Ｅ２２に表示している階層の階層名を表示し、左ウィンドウ部Ｅ２２は、カーソル移動が有効な有効階層の項目を表示し、右ウィンドウ部Ｅ２３は、左ウィンドウ部Ｅ２２において選択されている項目の内容または曲のＩＤ３情報を表示する。【００５２】
第３エリアＥ３は、デバイスタブ表示領域であり、６種のデバイスタブ７１〜７６を表示すると共に、排他的に選択された１種のデバイスタブをハイライト表示する。なお、上述の第２エリアＥ２には、ここで選択されたデバイスの内容が展開されることとなる。【００５３】
デバイスタブは、「ＤＩＳＣ１」タブ７１、「ＤＩＳＣ２」タブ７２、「ＵＳＢ１」タブ７３、「ＵＳＢ２」タブ７４、「ＰＣ」タブ７５および「ＰＬＡＹＬＩＳＴ」タブ７６から成り、「ＤＩＳＣ１」タブ７１および「ＤＩＳＣ２」タブ７２は、それぞれＡ側ディスクドライブ１１１およびＢ側ディスクドライブ１１２に対応している。また、「ＵＳＢ１」タブ７３は、ＵＳＢスロット５５に繋がるＵＳＢドライブに、「ＵＳＢ２」タブ７４は、再生装置１の奥側側面に形成された不図示のＵＳＢスロットに繋がるＵＳＢドライブに、「ＰＣ」タブ７５は、同じく再生装置１の奥側側面に形成された不図示のＵＳＢスロットに繋がるＵＳＢドライブ（ＰＣ用）に、それぞれ対応している。また、「ＰＬＡＹＬＩＳＴ」タブ７６は、ユーザが作成したプレイリストを記憶した再生装置１内の不揮発性メモリ（図示省略）に対応するものであり、当該不揮発性メモリから読み出したコンテンツをコンテンツリストとして第２エリアＥ２に表示可能となっている。なお、このプレイリストには、所定の操作によって、他のデバイスのコンテンツリストから選択した曲を含めることができるようになっている。【００５４】
続いて、中央操作領域１０の下側領域に設けられている物理インターフェースについて説明する。参照番号４１は、デバイス選択ボタンであり、液晶ディスプレイＤに表示されるデバイスタブ７１〜７６に対応して、６つのボタンが設けられている。【００５５】
参照番号４２は、プッシュ機能付のエンコーダーであり、回転させることで、第２エリアＥ２の選択カーソルを上下に移動させることができる。また、プッシュすることで、選択項目の下位階層に移動させることができる。【００５６】
参照番号４３は、左ボタンであり、プッシュすることで、選択項目の上位階層に移動させることができる。また、参照番号４４は、右ボタンであり、プッシュすることで、選択項目の下位階層に移動させることができる。【００５７】
参照番号４５は、Ａ側ロードボタンであり、プッシュすることで、選択曲をＡ側再生機構１９１およびＡ側操作機構２０１にセットすることができる。また、参照番号４６は、Ｂ側ロードボタンであり、プッシュすることで、選択曲をＢ側再生機構１９２およびＢ側操作機構２０２にセットすることができる。なお、これらＡ側ロードボタン４５およびＢ側ロードボタン４６は、ボタンが点灯／非点灯し、点灯時においてのみプッシュ動作による選択が可能（各再生機構１９１，１９２にセット可能）となっている。【００５８】
なお、上記のボタン４１〜４４を用いた選択操作と、ロードボタン４５，４６を用いた振り分け操作を繰り返すことで、複数曲を各再生・操作機構に振り分けておく（スプールさせておく）ことができる構成としても良い。この場合、各再生機構１９１，１９２では、一旦スプールした中から順に（またはスプールした中からいずれかを選択して）曲を再生させることができる。【００５９】
以上は、両ブラウズに共通する内容である。続いて、同図を参照し、「ファイルブラウズ」のＧＵＩについて説明する。なお、ブラウズによって液晶ディスプレイＤの表示内容が異なるのは、第２エリアＥ２のみであるため、第２エリアＥ２についてのみ言及する。「ファイルブラウズ」時の第２エリアＥ２は、階層名表示部Ｅ２１において、現在左ウィンドウ部Ｅ２２に表示しているフォルダ名を表示する。また、左ウィンドウ部Ｅ２２においては、そのフォルダの内容を表示し、右ウィンドウ部Ｅ２３においては、選択フォルダの内容を表示する。なお、左ウィンドウ部Ｅ２２に最終階層が表示されている場合、右ウィンドウ部Ｅ２３は、曲のＩＤ３情報を表示する（図８参照）。このように、「ファイルブラウズ」時のコンテンツリストは、複数階層のフォルダと、ＩＤ３情報とを含むものである。【００６０】
次に、図４ないし図１０の画面遷移図を参照し、「ＩＤ３ブラウズ」時における操作方法について説明する。まず、図４を参照し、「ＩＤ３ブラウズ」のＧＵＩについて説明する。「ＩＤ３ブラウズ」時の第２エリアＥ２は、その初期画面（カテゴリ選択画面）において、階層名表示部Ｅ２１には、デバイス選択ボタン４１によって選択されたデバイス名を表示する。また、左ウィンドウ部Ｅ２２には、カテゴリリストを表示し、右ウィンドウ部Ｅ２３は、そのカテゴリにおける選択候補を表示する。【００６１】
なお、カテゴリとしては、「ジャンル」、「アーティスト」、「アルバム」、「タイトル」および「プレイリスト」の中からいずれかを選択可能となっている。最初に「ジャンル」が選択された場合は、続いて「アーティスト」→「アルバム」→「タイトル」の順に選曲される。また、最初に「アーティスト」が選択された場合は、続いて「アルバム」→「タイトル」の順に選曲される。また、最初に「アルバム」が選択された場合は、続いて「タイトル」が選曲され、最初に「タイトル」が選択された場合は、直接曲名が選択される。また、最初に「プレイリスト」が選択された場合は、「ＤＩＳＣ１」の中に記録されているプレイリストの中から選曲される。【００６２】
ここでは、図示の状態で（「ジャンル」がカーソル指定されている（ハイライト表示されている）状態で）右ボタン４４がプッシュされたものとして、画面遷移後の状態を、図５を参照して説明する。なお、下位階層へは、エンコーダー４２をプッシュすることでも移動可能である。また、左ボタン４３がプッシュされると、１つ上の上位階層（カテゴリ選択画面）に移動する。カテゴリとして「ジャンル」が選択されると、同図に示すように、ジャンル選択画面に遷移し、階層名表示部Ｅ２１には、カテゴリ名（「ジャンル」）を表示する。また、左ウィンドウ部Ｅ２２には、ジャンルの選択候補を表示し、右ウィンドウ部Ｅ２３は、そのジャンルにおける選択候補を表示する。【００６３】
ここでは、図示の状態で（「テクノ」がカーソル指定されている状態で）右ボタン４４がプッシュされたものとして、画面遷移後の状態を、図６を参照して説明する。ジャンルとして「テクノ」が選択されると、同図に示すように、アーティスト選択画面に遷移し、階層名表示部Ｅ２１には、ジャンル名（「テクノ」）を表示する。また、左ウィンドウ部Ｅ２２には、テクノに関連付けされたアーティストの選択候補を表示し、右ウィンドウ部Ｅ２３は、そのアーティストのアルバム名を選択候補として表示する。【００６４】
ここでは、図示の状態で（「アーティスト１」がカーソル指定されている状態で）右ボタン４４がプッシュされたものとして、画面遷移後の状態を、図７を参照して説明する。アーティストとして「アーティスト１」が選択されると、同図に示すように、アルバム選択画面に遷移し、階層名表示部Ｅ２１には、アーティスト名（「アーティスト１」）を表示する。また、左ウィンドウ部Ｅ２２には、「アーティスト１」のアルバム名を選択候補として表示し、右ウィンドウ部Ｅ２３は、そのアルバムに収録されているタイトル名を選択候補として表示する。【００６５】
ここでは、図示の状態で（「アルバム１」がカーソル指定されている状態で）右ボタン４４がプッシュされたものとして、画面遷移後の状態を、図８を参照して説明する。アルバムとして「アルバム１」が選択されると、同図に示すように、タイトル選択画面に遷移し、階層名表示部Ｅ２１には、アルバム名（「アルバム１」）を表示する。また、左ウィンドウ部Ｅ２２には、「アルバム１」に収録されているタイトル名を選択候補として表示し、右ウィンドウ部Ｅ２３は、そのタイトルのＩＤ３情報を表示する。【００６６】
タイトル選択画面では、ＩＤ３情報として、タイトル名、アーティスト名、アルバム名およびジャンル名を表示するが、その他操作者がタイトル毎やアーティスト毎に入力したコメントを表示させることも可能である。このコメント情報は、再生装置１内の不揮発性メモリ（図示省略）か、各情報記録媒体６０の所定領域に記録させておくことが可能である。また、各コンテンツの使用履歴を、コンテンツの選択時、振り分け時、再生停止時等に記録しておき、それらを各コンテンツの使用履歴情報として表示させても良い。さらに、ＩＤ３情報と共に、ＢＰＭや曲のキー情報など、コンテンツデータから自動検出可能な情報を表示させることも可能である。【００６７】
ここでは、図示の状態から（「トラック１」がカーソル指定されている状態から）エンコーダー４２を時計回りに回転させることによってカーソルが２つ下方向に移動されたものとして、画面遷移後の状態を、図９を参照して説明する。カーソルの移動により選択候補が変化すると、その選択候補のＩＤ３情報を表示すべく、それに伴って右ウィンドウ部Ｅ２３のＩＤ３情報も更新する。このように、エンコーダー４２の回転によって選択対象となるコンテンツを決定する。【００６８】
ここでは、図示の状態で（「トラック３」がカーソル指定されている状態で）選択対象となっているコンテンツをＡ側再生機構１９１およびＡ側操作機構２０１にセットするため、Ａ側ロードボタン４５がプッシュされたものとして、画面遷移後の状態を、図１０を参照して説明する。なお、「ＤＩＳＣ１」は、ＭＰ３のデータ形式でコンテンツが記録されており、Ａ側ロードボタン４５およびＢ側ロードボタン４６の両方が振り分け可能状態（点灯状態）であったものとする。【００６９】
コンテンツが、Ａ側、Ｂ側のいずれかの再生・操作機構に振り分けられると、その振り分け結果を示す記号８１（図示の例の場合、「（Ａ）」）を、トラック名の先頭に（行頭マークとして）表示する。また同時に、Ａ側表示部Ｅ１１の内容を、選択したコンテンツの曲名とアーティスト名に更新する。したがって、Ａ側表示部Ｅ１１およびＢ側表示部Ｅ１２も、振り分け結果を表示するための表示部として機能する。【００７０】
なお、複数曲をスプールできる構成とした場合は、ロードボタン４５、４６がプッシュされたときに行頭マークを示す点では、上述の例と同様であるが、Ａ側表示部Ｅ１１またはＢ側表示部Ｅ１２の更新については、対応する再生機構１９１，１９２で再生されているコンテンツやスプールされているコンテンツが存在するか否かに応じてそのタイミングが変わる。すなわち、再生中のコンテンツやスプールされているコンテンツが存在しない場合は、ロードボタン４５、４６がプッシュされたときにＡ側表示部Ｅ１１を更新する。また、存在する場合は、そのコンテンツの再生開始時にＡ側表示部Ｅ１１を更新する。【００７１】
以上、説明したとおり、本実施形態の再生装置１によれば、２つの再生機構１９１，１９２の再生対象および２つの操作機構２０１，２０２の操作対象となるコンテンツを選択するためのコンテンツリストを同じ液晶ディスプレイＤに表示するため、操作者は当該液晶ディスプレイＤだけを視認してコンテンツの選択操作や振り分け操作を行うことができる。これにより、誤操作の防止および操作性の向上が期待できる。また、コンテンツの振り分け結果も同じ液晶ディスプレイＤ上に表示するため、操作者はどちらの再生機構１９１，１９２によって再生されるのか、並びにどちらの操作機構２０１，２０２で操作できるのかを確認することができ、利便性が良い。さらに、再生されるコンテンツの再生制御を行うための操作機構（ジョグダイヤル２１Ａ，２１Ｂやフェーダー２２Ａ，２２Ｂ）は、各再生機構１９１，１９２に対応して別個に備えられているため、独立した再生制御を行うことができ、多彩な音楽表現を実現できる。【００７２】
また、再生装置１は、複数の読み取り機構を備えているため、多数のコンテンツの中から再生対象および操作対象（再生制御の対象）となるコンテンツを選択することができる。また、情報記録媒体６０毎にコンテンツリストが生成されるため、膨大なコンテンツを報記録媒体６０毎に分類することができ、コンテンツの検索が容易である。【００７３】
また、振り分け可能な再生・操作機構を各ロードボタン４５，４６の態様によって指標するため、その指標にしたがって振り分けを行えば良く、操作者がコンテンツのデータ形式を意識して振り分け可能か否かを判断する必要がない。【００７４】
なお、上記の実施形態では、「ＩＤ３ブラウズ」時の操作方法を中心に説明したが、「ファイルブラウズ」の場合であっても、ＩＤ３情報の表示や、振り分け先の表示などは同様である。【００７５】
また、上記の実施形態では、２つの再生機構１９１，１９２を有する再生装置１を例示したが、３つ以上の再生機構を有する構成としても良い。また、オーディオ信号の再生についてのみ言及したが、ビデオ信号の再生を行う場合にも適用可能である。すなわち、音楽と映像とを１台で操作可能なＤＶＪ機器（ＤＪが音響パフォーマンスに用いるＤＪ機器と、ビジュアルジョッキーまたはビデオジョッキー（ＶＪ）が映像パフォーマスンスに用いるＶＪ機器とを複合化した機器）に、本発明を適用することも可能である。【００７６】
また、振り分け結果の表示は、コンテンツリスト内において各コンテンツの行頭マークとして表示すると共に、Ａ側表示領域Ａ１１およびＢ側表示領域Ａ１２に文字情報として表示するものとしたが、複数曲スプールできる場合であっても、液晶ディスプレイＤ上の所定領域に、Ａ側再生機構１９１およびＡ側操作機構２０１への振り分け結果（再生順序１：トラック１、再生順序２：トラック２・・・など）と、Ｂ側再生機構１９２およびＢ側操作機構２０２の振り分け結果と、を文字情報として表示するようにしても良い。また、複数曲スプールできる場合は、各コンテンツの行頭マークとして、振り分け先を示す記号（「Ａ」または「Ｂ」）と共に、再生順序（「１」，「２」・・・や「ＮＥＸＴ」など）を併記するようにしても良い。【００７７】
また、上記の実施形態では、再生手段１９０は、２つの再生機構１９１，１９２を有するものとしたが、内部的に再生データを格納しておくメモリは１つであってもよく、必ずしも物理的に２つに分かれていなくても良い。すなわち、２つ（複数）のコンテンツを同時に再生可能であれば、再生機構は１つであっても良い。【００７８】
また、上記の実施形態では、ブラウス切り替えボタン３１にて、フォルダ表示方式とカテゴリ表示方式とを切り替える方法を説明したが、フォルダと同列にカテゴリを表示して選択的に切り替えるようにしても良い。【００７９】
また、上記の実施形態では、コンテンツの形式をＭＰ３で説明してきたが、ＡＡＣやＷＭＡ、ＷＡＶ、ＭＰＸ（Ｘ＝２、４etc）、ＯＧＧ、ＶＱＦ等、他の形式でも良い。【００８０】
また、振り分け結果については、振り分け先を示す記号（「（Ａ）」または「（Ｂ）」）をコンテンツリスト中に示すものとしたが、その他の記号（「（１）」または「（２）」、「←」または「→」、「＜」または「＞」など）を付加しても良い。また、記号でなくとも「Ａ側」または「Ｂ側」などテキスト情報を付加しても良い。すなわち、付加する情報の種類は問わない。【００８１】
また、液晶ディスプレイＤがカラー表示可能な場合は、選択されたコンテンツのタイトル名を色分け表示するなどして、振り分け先を示すようにしても良い。また、この場合、再生機構表示領域Ｅ１についても、Ａ側表示部Ｅ１１およびＢ側表示部Ｅ１２の表示色を変えることで、明確に振り分け先が分かるように表示することが好ましい。さらに、この場合、Ａ側は赤、Ｂ側は青と事前に設定しておいて、（もしくは直感的に理解できるように、機器のそれぞれの操作領域２０Ａ，２０Ｂやジョグダイヤル２１Ａ，２１Ｂに赤、青のカラーが配色されている、もしくは各色の電飾でＡ側表示部Ｅ１１およびＢ側表示部Ｅ１２の文字や背景の色を赤／青に変える等することで）、コンテンツの振り分け先を分かりやすく示すことが好ましい。その他、振り分け結果については、コンテンツタイトルを点滅表示させる、フォントを変化させるなど、表示態様を変えることによって振り分け先を示すようにしても良い。【００８２】
また、上記の例に示した再生装置１における各部、並びに各機能をプログラムとして提供することも可能である。また、そのプログラムを記録媒体（図示省略）に格納して提供することも可能である。記録媒体としては、ＣＤ―ＲＯＭ、フラッシュＲＯＭ、メモリカード（コンパクトフラッシュ（登録商標）、スマートメディア、メモリースティック、ＳＤカード等）、コンパクトディスク、光磁気ディスク、デジタルバーサタイルディスク、フレキシブルディスクおよびハードディスク等を利用することができる。また、コンテンツを記録した情報記録媒体６０としても、これらを用いることが可能である。【００８３】
また、上述した実施例によらず、再生装置１の装置構成や処理工程、機能等について、本発明の要旨を逸脱しない範囲で、適宜変更も可能である。
【図１】
2008126142.tif 000003
【図２】
2008126142.tif 000004
【図３】
2008126142.tif 000005
【図４】
2008126142.tif 000006
【図５】
2008126142.tif 000007
【図６】
2008126142.tif 000008
【図７】
2008126142.tif 000009
【図８】
2008126142.tif 000010
【図９】
2008126142.tif 000011
【図１０】
2008126142.tif 000012
【国際調査報告】
2008126142.tif 000013
2008126142.tif 000014